(57)【要約】【課題】天板の寸法精度が多少ばらついても、天板の外周端面を保護する保護部材を天板の端面に対して所定の対応位置に配置させることを目的とする。【解決手段】調理器外郭を構成する本体１と、この本体の上面を覆うように固定される平板状の天板４と、この天板の外周縁部をその下方から端面まで覆ってなる保護部材５Ａ、５Ｂと、この保護部材と天板４が上面に載置され、これら両者を接着部材１１で固定して前記本体１に固定された保持部材３とを備えたものである。【選択図】          図１
2008267638.tif 000002
【特許請求の範囲】
【請求項１】
調理器外郭を構成する本体と、この本体の上面を覆うように固定される平板状の天板と、この天板の外周端部にあってその下面から端面までを覆ってなる保護部材と、この保護部材と天板が上面に載置され、これら両者を接着部材で固定して前記本体に固定してなる保持部材とを備えたことを特徴とする加熱調理器。
【請求項２】
保護部材は、保護すべき天板の左右又は前後の辺に対応して少なくとも一対設けられ、かつその形状を同一に形成していることを特徴とする請求項１記載の加熱調理器。
【請求項３】
保護部材は、天板の端面と微小間隙を有して対面する保護部と、これに連続して形成された基部とを一体に形成していることを特徴とする請求項１記載の加熱調理器。
【請求項４】
保護部材は、天板の端面と微小間隙を有して対面する保護部と、この基部から天板側に所定寸法立ち上がった押え部と、この押え部を挟んで基部と反対側にある固定端部とが一体に形成されたものであり、固定端部を保持部材の上に重ね、押え部と固定端部及び天板との間の空間に充填される接着剤で同時に保持部材も接着していることを特徴とする請求項１記載の加熱調理器。
【請求項５】
保護部材は、天板の端面と微小間隙を有して対面する保護部と、この基部から天板側に所定寸法立ち上がった押え部と、この押え部を挟んで基部と反対側にある固定端部とが一体に形成されたものであり、固定端部を保持部材の上に重ね、押え部と、固定端部及び天板との間の空間に充填される接着剤で同時に保持部材も接着し、上記押え部は、その押え部が天板と接触しないような高さに設定されていることを特徴とする請求項１記載の加熱調理器。
【請求項６】
保護部材上面と天板下面との間には緩衝材を介在させていることを特徴とする請求項１記載の加熱調理器。
【請求項７】
保護部材上面と天板下面との間には緩衝材を介在させ、当該緩衝材自体の上下両面が粘着性を有し、天板に保護部材を固定していることを特徴とする請求項１記載の加熱調理器。
【請求項８】
保護部材は、天板の端面と微小間隙を有して対面する保護部を有する金属製板から一体に形成され、当該保護部は金属製板の一端面を表面側又は裏面側まで屈曲させ、その屈曲部が天板の外周端面に対面し、かつ天板の表面と同等な高さになっていることを特徴とする請求項１記載の加熱調理器。
【発明の詳細な説明】
【技術分野】
【０００１】
本発明は、本体上面を天板で覆った加熱調理器に関するものである。
【背景技術】
【０００２】
従来から電気ヒータや電磁誘導加熱ヒータ等の加熱源を内蔵した調理器の箱型本体上面を平坦なガラス製の天板で覆うようにしたものが提案されている（例えば特許文献１）。
【０００３】
上記天板は結晶化ガラスなどのように耐熱性と所定の強度を有する素材が用いられているが、鍋などの固いものが衝撃力に比較的弱い場所である外周端面に衝突した場合には割れる可能性がある。そこで通常は天板の外周端面をその外側から金属製フレームで覆うように、フレームの下面を天板上面に接着したものが提案されている（例えば特許文献２）。
【０００４】
【特許文献１】特開平１１−２３９５２１号「組み込み式調理器」公報
【特許文献２】特開２００７−５２９４３号「誘導加熱調理器」公報
【発明の開示】
【発明が解決しようとする課題】
【０００５】
しかしながら従来の加熱調理器では、天板は金属製の本体枠の上部に載置されて接着剤で固定される構成であるため、天板が予定した寸法精度で形成されていないと、天板の外周端面の位置がずれ、フレームが天板に当たることや、フレームが本体枠の上部外周縁に当たるという問題があった。またフレームが天板の上面に接着されているため、その接着剤の一部が製造過程でフレームの脇からはみ出すことがあり、その場合、はみ出た部分を除去しないと天板の上面周縁に接着剤が残ってしまい、意匠的にて問題となるため、接着剤を除去する作業が必要になるなど生産性が悪いという問題があった。
【０００６】
本発明は、前記のような問題点を解決するために為されたものであり、天板の外周縁部をその下面から端面までを覆う保護部材と、この保護部材と天板を上面に載せ、これら両者を接着部材で固定してなる保持部材とを備えたことを特徴としたものである。
【課題を解決するための手段】
【０００７】
すなわち本発明は、調理器外郭を構成する本体と、この本体の上面を覆うように固定される平板状の天板と、この天板の下方から外周端面まで覆ってなる保護部材と、この保護部材と天板が上面に載置され、これら両者を接着部材で固定して前記本体に固定された保持部材とを備えたことを特徴としたものである。
【発明の効果】
【０００８】
この発明に係る加熱調理器では、天板の寸法精度が多少変化した場合でも、保持部材と保護部材の相互接着位置を変化させて天板の外周端面の外側所定位置に保護部材を位置させることができる。また天板の上面で保護部材を接着する必要がなくなるので、天板の上面に接着剤等が残ることもなく、天板上面における接着剤の除去作業も不要で、生産性を高めることが可能となる。
【発明を実施するための最良の形態】
【０００９】
以下、この発明の実施の形態について図を用いて説明する。
実施の形態１．
【００１０】
図１は本発明の実施の形態１を示すＩＨ（誘導加熱）クッキングヒータと呼ばれる調理器本体の分解斜視図、図２はその天板の外周縁部を縦に切って正面側から見た断面図である。
図１において、１は調理器本体で、上面に開口２が形成された箱型形状を有している。この本体１の内部には図示していないが、電磁誘導加熱のための加熱源となる複数個の誘導加熱コイルやその電源回路部、誘導加熱コイルと電源回路部を冷却する冷却用電動ファンなどが収納されている。この本体１は複数個の金属製板が溶接やカシメ、ネジ止め等の接合手段で固定されて構成されている。
【００１１】
３は前記本体１の上面全体を覆う外形寸法を有した金属板製の保持部材で、本体の上面開口２の形状に合わせて中央部に大きな長方形の開口３Ａを有した額縁状形状にプレス成形加工されている。３Ｂは保持部材３の後部に形成した通風窓で、前記冷却用電動ファンが本体１の外部から空気を導入するための吸気口と、本体内部の空気を冷却用電動ファンが本体１の外部へ排出する排気口になる。なお、実際にはこの通風窓３Ｂの中央には仕切板（図示せず）が設けられ、電動ファンの排気流と吸気流が混合しないように区画されている。
【００１２】
４は結晶化ガラス等の耐熱性と所定の強度を有する材料から形成された長方形の天板で、上記保持部材３の開口３Ａを覆う平面寸法を有している。５Ａ、５Ｂはこの天板４の左右両側辺を保護する一対の端面保護部材であって、金属板、例えばアルミニウム板をプレス成形して形成されている。
【００１３】
一対の保護部材５Ａ、５Ｂは縦断面形状及び平面形状が同じものが図１に示すように天板４の左右両側から互いに向かい合うようにして配置される。保護部材５Ａ、５Ｂの縦断面形状は図２に示すように、天板４の左右両端面と１ｍｍ以下の微小間隙Ｓ１を有して対面する保護部５Ｐと、これに連続して形成された基部５Ｑと、この基部５Ｑから天板４側に所定寸法（Ｘ）だけ立ち上がった押え部５Ｒと、この押え部５Ｒを挟んで基部５Ｑと反対側にある固定端部５Ｓとが一体に形成されている。なお、微小間隙Ｓ１は理想的には限りなくゼロに近いことが望ましい。そのため実際の組立では天板４の左右両端面に保護部５Ｐを当接させるようにして保護部材５Ａ、５Ｂを固定することが望ましい。
【００１４】
言い換えると、水平に伸びた基部５Ｑから直角（垂直）に立ち上がった部分が保護部５Ｐになっており、この保護部はその外側から鍋などの硬い物が天板４の端面に衝突することを防止するものである。
【００１５】
６は天板４の前方側辺を覆う金属板製の前枠で、複数個のネジ９により保持部材３に固定されている。この前枠６上面には電気加熱源の電力（火力）やその通電時間などを制御する操作キー（図示せず）が臨む１０個の透孔６Ａが形成されており、その透孔を介して上記操作キーで上方から操作される各種制御スイッチ類（図示せず）は保持部材３の下方位置で本体１内部に設置されている。
【００１６】
７は天板４の後方の側辺を覆う金属板製の後枠で、複数個のネジ１０により保持部材３を上方から挟み込むにように本体１に固定されている。この後枠にはその左右中央部に前記通風窓３Ｂに対応して同等な大きさの開口７Ａが形成されている。
【００１７】
８は金属製板から形成されたカバーで、その全面には多数の小孔が形成され、後枠７の開口７を通過する空気の流れを遮らないようになっており、本体１にネジ１０で後枠７が取り付けられた後、そのネジ１０が隠れるように後枠７上面に載置される。
【００１８】
前記保持部材３の左右両端部には、保護部材の基部５Ｑの立ち上がり寸法（Ｘ）と同等、またはそれよりも僅かに大きな寸法（Ｙ）だけ下方に屈曲して横に伸びる固定部３Ｔが形成されている。３Ｓはその屈曲部である。
【００１９】
図２において、天板４の左右両端部下面と、保持部材３の左右両端部と、保護部材５の上面との３者間には、接着剤１１が満たされる空間Ｓ３が形成される。また天板４の左右両端部下面と保護部材５の上面との２者間には、前記間隙Ｓ１の下方に連続した空間Ｓ２が形成される。
【００２０】
図１においてＴＰは、上記した保持部材３、天板４、保護部材５Ａ、５Ｂ、前枠６、後枠７、カバー８から構成された天板ユニットである。
【００２１】
以上のような構成における加熱調理器において、電磁誘導加熱のための加熱源となる複数個の誘導加熱コイルを通電すれば、通電した加熱コイルの上方の天板４上に置かれた金属鍋には、加熱コイルから天板４を透過して与えられる磁力線のために誘導加熱原理による熱が発生し、鍋の内部に収容した被調理物の加熱調理が行われる。
【００２２】
次に上記のような調理器の天板ユニットの組み立て方法について以下説明する。まず図２に示した天板４を上下反転させ、その下面（裏面）に保護部材５Ａ、５Ｂを載せる。図２を上下逆さまにした状態で見ると良く理解できる。
【００２３】
次に空間Ｓ３になる部分にシリコン系などの耐熱性の接着剤１１を塗る。そしてその接着剤１１が硬化しない内に保持部材３を上方から天板４の上面（図２でいうと下面）に被せる。すると天板４の上面（図２でいうと下面）に保持部材３の下面（図２でいうと上面）が密着する。
【００２４】
接着剤１１で天板４と保持部材３と保護部材５Ａ、５Ｂの３者が固着された状態では、天板の下面は保護部材５Ａ、５Ｂの押え部５Ｒに接触するか又は僅かな間隙を持って対面する。何故ならば上述したように保護部材の基部５Ｑの立ち上がり寸法（Ｘ）と同等か、それよりも僅かに大きな寸法（Ｙ）だけ下方に屈曲して横に伸びる固定部３Ｔが形成されているからである。なお、固定部３Ｔの端部（図２では右端部）のエッジ部が基部５Ｑよりも下方に突出しないことを考えると（保持部材３の板厚寸法と、保護部材５Ａ、５Ｂの板厚が同一である場合）Ｘ≧Ｙの寸法関係にするのが理想的である。こうすることにより固定部３Ｔの下面と基部５Ｑの下面が同一平面（Ｘ＝Ｙの場合）上に並ぶか、又は基部５Ｑの下面が固定部３Ｔの下面よりも僅かに突出（Ｘ＞Ｙの場合）した状態になる。なお、上記天板４と保持部材３と保護部材５Ａ、５Ｂの３者の固定作業においては、相互の位置合わせを確実にするため冶具等が用いられる。
【００２５】
上記のようにして一体的に固定された天板４と保持部材３、保護部材５Ａ、５Ｂは本体１の上面開口２部分に位置を合わせ、後枠７をネジ１０で固定して本体１に固定される。なお、前枠６もネジ９で保持部材３に固定すると、前枠６と後枠７が天板４の前端部と後端部をそれぞれ包み込むように本体１に固定する。なお、保持部材３の前端部はネジ９で同時に本体１に結合しても良いし、別の結合手段で本体１に結合しても良い。
【００２６】
図３は、接着剤１１で天板４と保持部材３と保護部材５Ａ、５Ｂの３者が固着された状態の説明図である。一般に天板のようなガラス素材と、保持部材３や保護部材５Ａ、５Ｂのような金属素材では、成形加工する場合の寸法公差に大きな違いがある。また天板４は加熱源により高温になった鍋等の被加熱物からの熱を受けて３００度以上にもなる。天板４の下方にラジエントヒータという輻射型の電熱ヒータを設けた場合にはそのヒータの熱で天板４の下面は直接熱せられ、その温度は４００度にもなることがある。従って温度上昇による膨張もあり、保護部材５Ａ、５Ｂが一体のものであった場合には、その保護部材５Ａ、５Ｂの保護部５Ｐと、天板４の左右両端面との微小間隙Ｓ１は大きなバラツキを生ずる。
【００２７】
従って、製造過程では上記のようなバラツキを考慮して組み立てる必要があるため、必然的に精度の高い構成にできず、天板４の左右端面部に大きな隙間を生することもあった。このような隙間は調理によって発生する液体の浸入やゴミの浸入・堆積にもなり、長期間の使用において美観を損ねる原因にもなっていた。
【００２８】
これに対して本発明の実施の形態１では、天板４の横幅寸法が所定の幅（Ａ）である場合と、その所定の幅（Ａ）よりも少し大きい寸法（Ａ＋α）である場合の何れにも対応して精度良い組み立てが可能である。
【００２９】
すなわち、天板４の横幅寸法が所定の幅（Ａ）も少し大きい寸法（Ａ＋α）になった場合には、保護部材５Ａ、５Ｂが左右別々に独立しているため、保持部材３と保護部材５Ａ、５Ｂ同士を固定する位置を調整すれば良い。そして保護部５Ｐと天板４の端面との間の微小間隙Ｓ１が所定寸法範囲に収まるようにすれば良い。
【００３０】
本発明の実施の形態１によれば、天板４の寸法精度が多少変化した場合でも、保持部材３と保護部材５Ａ、５Ｂの相互接着位置を変化させて天板４の外周端面の外側所定位置に保護部材５Ａ、５Ｂの保護部５Ｐを位置させることができる。また天板４の上面で保護部材５Ａ、５Ｂを接着する必要がなくなるので、天板４の上面に接着剤等が残ることもなく、天板４上面における接着剤の除去作業も不要で、生産性を高めることが可能となる。
【００３１】
次に、本発明の実施の形態２を説明する。なお、特に明示的に断りのない限り上記した実施の形態１の構成が前提になっており、同一または相当部分には同じ符号を付して説明を省略する。
図４は、実施の形態２を示す縦断面図であり、１２は天板４の下面に保護部材５Ａ、５Ｂを固定した緩衝材であり、両面に粘着面が形成されて両面テープ状になっている。
【００３２】
この実施の形態２では、組み立て作業の過程で天板４に緩衝材１２を先に貼っておき、その上に保護部材５Ａ、５Ｂを置けば保護部材５Ａ、５Ｂと天板４とは仮固定状態にできる。
【００３３】
従って、本発明の実施の形態２によれば、接着材１１を塗布し、保持部材３を固定する場合でも、保護部材５Ａ、５Ｂの位置が不用意にずれることを防止でき作業性が向上する。また天板４の端面を保護部材５Ａ、５Ｂで常に保護している状態になるので、作業中に誤って天板４の端面に物が衝突するような場合でも天板４端面の破損を防止でき、この面でも作業性が向上する。
【００３４】
図５は、本発明の実施の形態３を示す縦断面図であり、なお、特に明示的に断りのない限り上記した実施の形態１の構成が前提になっており、同一または相当部分には同じ符号を付して説明を省略する。図５に示す実施の形態３では、保護部材５Ａ、５Ｂの保護部５Ｐ側端部を外側へ１８０度屈曲させて裏面に密着させた形状にしていることが特徴である。
【００３５】
本発明の実施の形態３によれば、保護部材５Ａ、５Ｂの保護部５Ｐ側端部が外側へ１８０度屈曲させて裏面に密着させた形状になっているので、保護部５Ｐ自体の端部が丸くなり、調理器の使用者や組み立て作業者が触れた場の安全性を向上させることができる。
【産業上の利用可能性】
【００３６】
この発明は、天板の上方で調理をする電熱加熱調理器、誘導加熱調理器、あるいはこれらの複合型加熱調理器に適用することが特に有用となる。
【図面の簡単な説明】
【００３７】
【図１】この発明の実施の形態１を示す調理器本体の分解斜視図である。
【図２】この発明の実施の形態１を示す調理器の調理器の天板ユニットを組立てた状態で示す縦断面図である。
【図３】この発明の実施の形態１を示す調理器の天板ユニットの説明図である。
【図４】この発明の実施の形態２を示す調理器の天板ユニット天板ユニットを組立てた状態で示す縦断面図である。
【図５】この発明の実施の形態３を示す調理器の天板ユニットを組立てた状態で示す縦断面図である。
【符号の説明】
【００３８】
１  調理器本体、  ２  開口、  ３  保持部材、  ３Ｓ  屈曲部、  ３Ｔ  固定部、  ４  天板、  ５Ａ  保護部材、  ５Ｂ  保護部材、  ５Ｐ  保護部、  ５Ｑ  基部、  ５Ｒ  押え部、  ５Ｓ  固定端部、  ６  前枠、  ７  後枠、  １１  接着材、  １２  緩衝材、  Ｓ１  間隙、  Ｓ２  空間、  Ｓ３  空間。
【図１】
2008267638.tif 000003
【図２】
2008267638.tif 000004
【図３】
2008267638.tif 000005
【図４】
2008267638.tif 000006
【図５】
2008267638.tif 000007